(57)【特許請求の範囲】
【請求項１】
前方開口の凹部内底面に固定接点を固定した本体部およびこの本体部の上部で後方に突出する突設部を備えた絶縁樹脂製のスイッチケースと、前記凹部内に配されて押圧により前記固定接点と接離する可動接点と、その可動接点を押圧可能なように配された操作体と、その操作体を保持して前記スイッチケースに取り付けられた覆い板と、前記固定接点に接続し前記スイッチケースの突設部に配された端子とを備えたプッシュオンスイッチであって、前記覆い板は、前記操作体を後面で保持する平板部とこの平板部から前記スイッチケースの対向する両側面それぞれに沿うように後方に向けて延出されて設けられた脚部を両側に備え、これらの脚部は、下方端部が、スイッチの操作方向に対し後方側にいくにつれて上がっていく所定角度で傾斜した形状に形成され、回路基板上に実装される際にその下方端部が前記回路基板上に当接載置されることにより、スイッチの操作方向が前記回路基板面に対して傾斜状態で実装されるようにしたことを特徴とするプッシュオンスイッチ。
【請求項２】
覆い板の脚部の下方端部が、半田付け可能な処理がなされていることを特徴とする請求項１記載のプッシュオンスイッチ。
【請求項３】
覆い板の脚部の下方端部から、その下方端部に直交する方向に補助端子が延設されていることを特徴とする請求項１記載のプッシュオンスイッチ。
【請求項４】
脚部の下方端部位置に平行で前記下方端部より若干高い位置を折曲線として、その折曲線を境に前記スイッチケース側面から離れる方向に向けて曲げ形成され、その下面が、前記下方端部と同じ高さ位置の面となった折曲部を有したものとし、回路基板上に実装される際に前記折曲部の下面が前記回路基板上に当接載置されることにより、スイッチの操作方向が前記回路基板面に対して傾斜状態に実装されるようにしたことを特徴とする請求項１記載のプッシュオンスイッチ。
【発明の詳細な説明】
【技術分野】
【０００１】
本発明は、各種電子機器の入力操作部に用いられるプッシュオンスイッチに関するものである。
【背景技術】
【０００２】
各種電子機器の入力操作部に用いられるプッシュオンスイッチは、電子機器の小型化に伴い、電子機器筐体の上面や側面の平坦部分に限らず傾斜した部分にも操作ボタンが設けられる形態のものも出てきている。
【０００３】
このような傾斜した部分に操作ボタンが設けられて用いられる従来のプッシュオンスイッチについて、図８〜図１３を用いて説明する。
【０００４】
図８は従来のプッシュオンスイッチの外観図、図９は同分解斜視図、図１０は同側面断面図である。
【０００５】
同図において、１は前方が開口した凹部を有した本体部１Ａとその本体部１Ａの上部で後方に突出形成された突設部１Ｂとを備えた前方視略矩形の絶縁樹脂からなるスイッチケースで、凹部内底面に中央固定接点２とその中央固定接点２から離間した対称位置の２ヶ所に外側固定接点３とが露呈しており、中央固定接点２および外側固定接点３の各々と接続した端子４がスイッチケース１の突設部１Ｂ下面から後面に沿って設けられている。
【０００６】
これら中央固定接点２と外側固定接点３ならびに各端子４は、絶縁樹脂でインサート成形されてスイッチケース１が形成されている。
【０００７】
５は前方凸形の円形ドーム状に形成された弾性金属薄板からなる可動接点で、外周端が外側固定接点３上に載せられドーム状頂点部後面が中央固定接点２と間隔をあけて対向するようにスイッチケース１の凹部内に収容され、その前方から可撓性を備えた絶縁シート６が凹部を塞ぐようにスイッチケース１に粘着されて可動接点５は凹部内に保持されている。
【０００８】
７はフランジ部７Ａから後方に突設された押圧部７Ｃが絶縁シート６を介して可動接点５のドーム状頂点部位置に対応し、フランジ部７Ａから前方には操作部７Ｂが突設された操作体である。８は操作部７Ｂを中孔から前方に突出させて配された覆い板で、操作体７のフランジ部７Ａを後面で保持した平板部８Ａの４ヶ所の角部に設けられた係止部８Ｂが、スイッチケース１の対応する４ヶ所の係止突起１Ｃに係止固定されている。この状態で、操作体７は前後移動可能になされている。
【０００９】
以上のように従来のプッシュオンスイッチは構成されており、次にその動作について説明する。
【００１０】
まず、前方から操作体７の操作部７Ｂを押圧すると、後方の押圧部７Ｃが絶縁シート６を介して可動接点５のドーム状頂点部を押圧する。そして、その押圧力が所定の大きさを超えると、軽快な節度感を伴って可動接点５のドーム状中央部が後方凸形に弾性反転し、図１１に示すように、ドーム状頂点部後面が後方に対峙した中央固定接点２に接触する。これにより、可動接点５を介して外側固定接点３と中央固定接点２との間が導通し、スイッチケース１の突設部１Ｂに設けられた対応する端子４間でスイッチオンの状態となる。
【００１１】
また、操作部７Ｂに加えていた押圧力を解除すると、軽快な節度感を伴って可動接点５のドーム状中央部が元の前方凸形に弾性復帰し、その復帰力により絶縁シート６を介して操作体７が前方に付勢されてフランジ部７Ａの前面が覆い板８の平板部８Ａ後面に当接した元の状態に戻されると共に、ドーム状中央部が中央固定接点２から離間して、対応する端子４間がスイッチオフの状態となる。
【００１２】
次に、従来のプッシュオンスイッチが搭載される電子機器への実装状態について、図１２、図１３を用いて説明する。
【００１３】
図１２は従来のプッシュオンスイッチの装着方法を説明する図であり、この図において、３１は上面の所定位置に複数のランド３２が配された回路基板で、端部にスイッチケース１の本体部１Ａの大きさに合わせたコ字状の切欠き部３３が設けられている。なお、ランド３２から所定の回路部への引き回し部分は図示していない。
【００１４】
この回路基板３１の上方から、前記プッシュオンスイッチを、操作部７Ｂを前方に向け突設部１Ｂが上方側に位置する状態で、本体部１Ａを切欠き部３３内に垂直下方に嵌め込んでいき、突設部１Ｂ下面を回路基板３１上に当接させて装着する。この時、突設部１Ｂに設けられた端子４の下面は対応するランド３２上に位置し、この状態で、端子４とランド３２間を半田付けしてプッシュオンスイッチを実装する。
【００１５】
そして、図１３は同プッシュオンスイッチが電子機器に搭載された状態の要部断面図である。同図において、５１は電子機器の筐体で、その傾斜面に直交する方向で移動可能に操作ボタン５２が配されている。操作ボタン５２の後面は上下方向に平行な面に形成されている。一方、プッシュオンスイッチを実装した回路基板３１面は水平方向であり、プッシュオンスイッチにおける操作部７Ｂの操作方向も水平方向になっており、その操作部７Ｂの前面に対し操作ボタン５２の後面が当接して搭載されている。
【００１６】
そして、操作ボタン５２を押圧するとプッシュオンスイッチの操作部７Ｂが水平に押し込まれてスイッチがオンし、それにより電子機器の所定機能が働き、押圧を解除すると前述のプッシュオンスイッチの動作で説明したようにスイッチがオフとなり、可動接点５の弾性復帰力により操作ボタン５２が元の位置に押し戻されるものであった。
【００１７】
なお、この出願の発明に関連する先行技術文献情報としては、例えば、特許文献１、特許文献２が知られている。
【先行技術文献】
【特許文献】
【００１８】
【特許文献１】特開２００１−２１０１７６号公報
【特許文献２】特開平１１−５３９８０号公報
【発明の概要】
【発明が解決しようとする課題】
【００１９】
しかしながら、前記従来のプッシュオンスイッチにおいては、図１３で示した搭載状態になされた場合、プッシュオンスイッチの操作方向に対し電子機器の操作ボタン５２の操作方向が傾斜しているため、操作ボタン５２の移動距離に対してプッシュオンスイッチの操作体７の移動距離が少なく、かつ操作ボタン５２後面と操作部７Ｂ前面との間で摺動が生じてプッシュオンスイッチの可動接点５の挙動に伴う節度感が鈍くなり、滑らかで軽快な操作感触が得られ難いという課題があった。
【００２０】
本発明は、このような従来の課題を解決するものであり、スイッチが実装される回路基板面に対して電子機器の操作ボタンの操作方向が傾斜していても、スイッチの操作方向を操作ボタンの操作方向に合わせることができ、滑らかで軽快な操作感触が得られるプッシュオンスイッチを提供することを目的とする。
【課題を解決するための手段】
【００２１】
前記目的を達成するために本発明は、以下の構成を有するものである。
【００２２】
本発明の請求項１に記載の発明は、前方開口の凹部内底面に固定接点を固定した本体部およびこの本体部の上部で後方に突出する突設部を備えた絶縁樹脂製のスイッチケースと、前記凹部内に配されて押圧により前記固定接点と接離する可動接点と、その可動接点を押圧可能なように配された操作体と、その操作体を保持して前記スイッチケースに取り付けられた覆い板と、前記固定接点に接続し前記スイッチケースの突設部に配された端子とを備えたプッシュオンスイッチであって、前記覆い板は、前記操作体を後面で保持する平板部とこの平板部から前記スイッチケースの対向する両側面それぞれに沿うように後方に向けて延出されて設けられた脚部を両側に備え、これらの脚部は、下方端部が、スイッチの操作方向に対し後方側にいくにつれて上がっていく所定角度で傾斜した形状に形成され、回路基板上に実装される際にその下方端部が前記回路基板上に当接載置されることにより、スイッチの操作方向が前記回路基板面に対して傾斜状態で実装されるようにしたことを特徴とするプッシュオンスイッチとしたものであり、搭載される電子機器の操作ボタンの操作方向が、スイッチが実装される回路基板面に対して傾斜していても、覆い板の脚部の下方端部の傾斜角度を所定の角度のものとすることで、スイッチの操作方向を操作ボタンの操作方向に合わせることができ、これによって滑らかで軽快な操作感触が得られるプッシュオンスイッチを提供することができるという作用を有する。
【００２３】
請求項２に記載の発明は、請求項１記載の発明において、覆い板の脚部の下方端部が、半田付け可能な処理がなされていることを特徴とするものであり、スイッチを回路基板に強固に実装することができるという作用を有する。
【００２４】
請求項３に記載の発明は、請求項１記載の発明において、覆い板の脚部の下方端部から、その下方端部に直交する方向に補助端子が延設されていることを特徴とするものであり、回路基板上にスイッチを載置する際の位置決めが容易にできると共に、半田付け強度を強固なものにできるという作用を有する。
【００２５】
請求項４に記載の発明は、請求項１記載の発明において、脚部の下方端部位置に平行で前記下方端部より若干高い位置を折曲線として、その折曲線を境に前記スイッチケース側面から離れる方向に向けて曲げ形成され、その下面が、前記下方端部と同じ高さ位置の面となった折曲部を有したものとし、回路基板上に実装される際に前記折曲部の下面が前記回路基板上に当接載置されることにより、スイッチの操作方向が前記回路基板面に対して傾斜状態に実装されるようにしたことを特徴とするものであり、請求項１記載の発明による作用に加えて、覆い板の脚部に折曲部を設けたため、実装される回路基板上に安定して当接載置できるという作用を有する。
【発明の効果】
【００２６】
以上のように本発明によれば、スイッチが実装される回路基板面に対して電子機器の操作ボタンの操作方向が傾斜していても、覆い板を変更するのみでスイッチの操作方向を操作ボタンの操作方向に合わせることができ、滑らかで軽快な操作感触が得られるプッシュオンスイッチを実現することができるという有利な効果が得られる。
【図面の簡単な説明】
【００２７】
【図１】本発明の一実施の形態によるプッシュオンスイッチの外観図
【図２】同分解斜視図
【図３】同プッシュオンスイッチの装着方法を説明する図
【図４】同プッシュオンスイッチが電子機器に搭載された状態の要部断面図
【図５】覆い板脚部の下方端部の傾斜角度が異なる場合のプッシュオンスイッチが電子機器に搭載された状態の要部断面図
【図６】覆い板を別の形態としたプッシュオンスイッチの装着方法を説明する図
【図７】覆い板を別の形態としたプッシュオンスイッチの外観図
【図８】従来のプッシュオンスイッチの外観図
【図９】同分解斜視図
【図１０】同側面断面図
【図１１】同押圧操作状態の側面断面図
【図１２】同プッシュオンスイッチの装着方法を説明する図
【図１３】同プッシュオンスイッチが電子機器に搭載された状態の要部断面図
【発明を実施するための形態】
【００２８】
以下、本発明の実施の形態について、図１〜図７を用いて説明する。なお、従来の技術の項で説明した構成と同一構成の部分には同一符号を付して、詳細な説明を簡略化する。
【００２９】
（実施の形態）
図１は本発明の一実施の形態によるプッシュオンスイッチの外観図、図２は同分解斜視図であり、同図において、１は前方開口の凹部の内底面に中央固定接点２と外側固定接点３を有した本体部１Ａおよびその本体部１Ａの上部で後方に向けて突出した突設部１Ｂとを備えた絶縁樹脂製のスイッチケースで、中央固定接点２および外側固定接点３とそれぞれ接続した端子４が突設部１Ｂ下面と後面に沿って設けられている。それら各固定接点２，３と端子４は、絶縁樹脂でインサート成形されてスイッチケース１に固定されている。スイッチケース１の凹部内には円形ドーム状の可動接点５が収容され、その前方から絶縁シート６が凹部を塞いで可動接点５を保持して粘着されている。
【００３０】
そして、絶縁シート６の前方に配された操作体７の操作部７Ｂを中孔から前方に突出させ、平板部２１Ａの後面がフランジ部７Ａ前面に当接した覆い板２１が、その４ヶ所の角部に設けられた係止部２１Ｂでスイッチケース１の係止突起１Ｃに係止固定されている。以上は、従来のものと同様である。
【００３１】
本実施形態のプッシュオンスイッチは、スイッチケース１の前面に配されて係止固定された覆い板２１に特徴があるもので、平板部２１Ａの対向する両側端部からそれぞれ脚部２１Ｃが延出されており、それらの脚部２１Ｃはスイッチケース１の側面に沿ってそれぞれ後方に向けて延びている。そして、脚部２１Ｃの外形の一部である下方端部２１Ｄは、脚部２１Ｃの延設方向となる先端側つまりスイッチの後方側にいくにつれて上がっていく直線的な傾斜形状に形成されている。その傾斜形状の前方部高さ位置は、突設部１Ｂ下面よりも下方側に位置するように形成されている。この下方端部２１Ｄには、半田メッキや銀メッキ等の半田付け可能な表面処理がなされている。なお、下方端部２１Ｄだけに限らず、その周囲部分あるいは覆い板２１全体に半田付け可能な表面処理がなされていても良い。
【００３２】
この下方端部２１Ｄの傾斜角度は、後述する回路基板３６面に実装した際に、電子機器筐体５１の傾斜した面に備えられた操作ボタン５４の操作方向の角度に合致するように設定されている。
【００３３】
以上のように構成された本実施の形態のプッシュオンスイッチの動作は、従来のものと同じであるので説明を省略し、次に当該プッシュオンスイッチが搭載される電子機器への実装状態について、図面を用いて説明する。
【００３４】
図３は本実施形態のプッシュオンスイッチの装着方法を説明する図であり、３６は上面に所定のランド３７が配された回路基板で、その端部にコ字状の切欠き部３８が設けられている。なお、当該ランド３７以外の引き回し部分は図示していない。
【００３５】
この回路基板３６の上方から、前記プッシュオンスイッチを、操作部７Ｂを前方に向け突設部１Ｂが上方側に位置する状態で、本体部１Ａを切欠き部３８内に嵌め込んでいき、覆い板２１脚部２１Ｃの直線状に形成された下方端部２１Ｄとスイッチケース１の突設部１Ｂとが回路基板３６の上面に当接した斜めの状態に装着する。この装着状態で、スイッチケース１の両側に沿った脚部２１Ｃの下方端部２１Ｄと突設部１Ｂに設けられた端子４の下面は、対応する各ランド３７上に位置されており、プッシュオンスイッチの操作方向が回路基板３６面に対し所定の角度をもって傾斜した装着状態になる。なお、切欠き部３８の奥行き寸法は、前記装着状態でスイッチケース１の本体部１Ａ後面が切欠き部３８の奥壁上端に当接する寸法に設定されている。
【００３６】
そして、下方端部２１Ｄおよび端子４と対応する各ランド３７間を半田付けしてプッシュオンスイッチを実装する。
【００３７】
以上の説明から判るように、前記の実装状態では、覆い板２１の脚部２１Ｃの下方端部２１Ｄから下方位置となるスイッチケース１部分は、回路基板３６に設けた切欠き部３８内に嵌るようにできるので、回路基板３６面からのプッシュオンスイッチの上端までの高さを抑えて、低背で実装できるという効果も得られる。
【００３８】
そして、図４は同プッシュオンスイッチが電子機器に搭載された状態の要部断面図であり、同図において、５１は電子機器の筐体で、その傾斜面に直交する方向で移動可能に操作ボタン５４が配されている。回路基板３６はこの筐体５１の内部に水平な状態で配されており、その回路基板３６に前述したようにプッシュオンスイッチが実装されている。プッシュオンスイッチは、操作ボタン５４の操作方向に対してスイッチの操作方向が合わせられた所定の傾斜角度で実装されており、その操作部７Ｂ前面が操作ボタン５４の後面に当接している。なお、操作ボタン５４の後面は、操作ボタン５４の操作方向に直交した面に形成されている。以上のように、スイッチの操作方向と操作ボタン５４の操作方向が合わされ、その中心軸も合わされている。
【００３９】
このように搭載された本実施形態のプッシュオンスイッチは、電子機器の操作ボタン５４が押圧操作されると、その押圧力はプッシュオンスイッチの操作方向と同じ方向で操作部７Ｂに加わるので、押圧力のロスなどなく、滑らかで軽快な操作感触が得られる。
【００４０】
以上に説明したように、本実施の形態のプッシュオンスイッチは、覆い板２１の脚部２１Ｃの下方端部２１Ｄが回路基板３６上に当接載置された実装状態では、プッシュオンスイッチの操作方向が操作ボタン５４の操作方向に合い、またその中心軸も合致しているので、操作ボタン５４が押圧操作されて加わる押圧力がプッシュオンスイッチの操作部７Ｂに直接、直線的に伝えられる構成にでき、このため伝達される力のロスがなく滑らかで軽快な操作感触が得られるプッシュオンスイッチとして提供できる。
【００４１】
そして、当該構成では、所望のスイッチ操作方向に対し、覆い板２１脚部２１Ｃの下方端部２１Ｄの傾斜角度を適合する所定の角度に傾斜させたものとするだけでよいため、搭載される電子機器の筐体５１の傾斜面に応じて覆い板２１のみを変更するだけで容易かつコストを抑えて対応できる。
【００４２】
例えば、図５に示すように、回路基板３９面に対してプッシュオンスイッチの操作方向が前述とは異なる角度とすることも容易である。
【００４３】
図５は、電子機器の筐体５３において、操作ボタン５４の設けられた傾斜面の角度が前述のものと異なり、プッシュオンスイッチの操作方向が回路基板３９面に対して図４に示した角度よりさらに大きな角度で実装されている形態のものを示している。このような傾斜面に設けられた操作ボタン５４に対しても、覆い板２５脚部２５Ｃの下方端部２５Ｄの傾斜角度を対応したものとするのみで、操作ボタン５４の操作方向とスイッチの操作方向を合致させることができる。
【００４４】
次に、覆い板を別の形態としたプッシュオンスイッチについて、図６の装着方法を説明する図により説明する。
【００４５】
同図に示すように、当該構成のものは、操作体７を平板部２２Ａで保持し、係止部２２Ｂでスイッチケース１の係止突起１Ｃに係止固定されている覆い板２２が前述の形態と異なっており、脚部２２Ｃの所定長さの下方端部２２Ｄの中間位置から、その下方端部２２Ｄに直交する方向、つまり装着される回路基板４１面に垂直となる方向に補助端子２２Ｅが延設されているものとしている。
【００４６】
そして、このプッシュオンスイッチを装着する回路基板４１は、端部に切欠き部４３を備え、上面にプッシュオンスイッチの端子４と下方端部２２Ｄに対応する位置にランド４２が設けられており、さらに補助端子２２Ｅが挿入可能に、下方端部２２Ｄ用のランド４２にはスルーホール４４が一体に設けられている。
【００４７】
この回路基板４１の切欠き部４３に合わせてスイッチケース１の下方部分を嵌め込みながら補助端子２２Ｅをスルーホール４４に挿入していき、下方端部２２Ｄが回路基板４１上面に当接するように装着する。この状態で、スイッチケース１の突設部１Ｂの端子４下面が対応するランド４２上に位置し、スイッチケース１後面が切欠き部４３の奥壁上端に当接していることは前述のものと同じである。その後、下方端部２２Ｄ、補助端子２２Ｅおよび端子４を半田付けしてプッシュオンスイッチを回路基板４１上に実装する。
【００４８】
この形態によれば、覆い板２２の補助端子２２Ｅにより、回路基板４１上でのプッシュオンスイッチの位置決めが容易で、装着してから半田付けするまでにプッシュオンスイッチが位置ずれを生じたり、回路基板４１から落下したりする恐れがなくなると共に、プッシュオンスイッチを強固に半田付けすることができる。
【００４９】
さらに、他の構成の覆い板を備えさせた別の形態のプッシュオンスイッチについて、図７の外観図を用いて以下に説明する。
【００５０】
同図に示すように、当該構成のものも、操作体７を平板部２３Ａで保持し、係止部２３Ｂでスイッチケース１の係止突起１Ｃに係止固定されている覆い板２３が前述の形態と異なっている。つまり、スイッチケース１の側面に沿うように後方に向けて設けられた脚部２３Ｃにおいて、前述した下方端部２２D位置に平行で前記下方端部２２Ｄより若干高い位置を折曲線として、その折曲線を境に前記脚部２３Ｃ面に対し直角でスイッチケース１側面から離れる方向にそれぞれ折曲され、折曲線から先は、その下面が、前記下方端部２２Dと同じ高さ位置の傾斜面となった平板状の折曲部２３Ｄを有した構成のものとしている。そして、折曲部２３Ｄの少なくとも下面は半田付け可能な表面処理がなされているものとしている。
【００５１】
なお、折曲部２３Ｄのスイッチ後方側にいくにつれて上がっていく傾斜角度は、前述構成のものと同様に、プッシュオンスイッチが図示しない電子機器の回路基板に実装される際に、操作ボタン５４の操作方向とスイッチの操作方向が合致するように設定された角度である。
【００５２】
当該構成のものでは、スイッチケース１の突設部１Ｂに設けられた端子４と覆い板２３脚部２３Ｃの折曲部２３Ｄが、回路基板上に設けられた所定のランドに半田付け実装される。
【００５３】
この形態においても、スイッチの操作方向を電子機器の傾斜面に備えられた操作ボタン５４の操作方向に合わせることができ、このため滑らかで軽快な操作感触が得られると共に、覆い板２３脚部２３Ｃの折曲部２３Ｄに形成した平板状部分が所定の面積を有しているので、回路基板上に装着された際に、スイッチを安定して載置し易く、また半田付け面積が広くできるので、半田付け強度も強いものにできる。
【００５４】
以上の説明からも判るように、本発明は様々な形態のものを含むが、スイッチ接点部構成や操作体形状は前述したもののみに限定されることはない。また、覆い板も、脚部以外の他の構成部分については前述したものに限定はされない。
【産業上の利用可能性】
【００５５】
本発明によるプッシュオンスイッチは、スイッチが実装される回路基板面に対して電子機器の操作ボタンの操作方向が傾斜していても、滑らかで軽快な操作感触が得られるものにでき、主に各種電子機器の入力操作部を構成する際等に有用である。
【符号の説明】
【００５６】
１  スイッチケース
１Ａ  本体部
１Ｂ  突設部
１Ｃ  係止突起
２  中央固定接点
３  外側固定接点
４  端子
５  可動接点
６  絶縁シート
７  操作体
７Ａ  フランジ部
７Ｂ  操作部
２１，２２，２３，２５  覆い板
２１Ａ，２２Ａ，２３Ａ  平板部
２１Ｂ，２２Ｂ，２３Ｂ  係止部
２１Ｃ，２２Ｃ，２３Ｃ，２５Ｃ  脚部
２１Ｄ，２２Ｄ，２５Ｄ  下方端部
２２Ｅ  補助端子
２３Ｄ  折曲部
３６，３９，４１  回路基板
３７，４２  ランド
３８，４３  切欠き部
４４  スルーホール
５１，５３  筐体
５４  操作ボタン
【図１】
0005428890.tif 000002
【図２】
0005428890.tif 000003
【図３】
0005428890.tif 000004
【図４】
0005428890.tif 000005
【図５】
0005428890.tif 000006
【図６】
0005428890.tif 000007
【図７】
0005428890.tif 000008
【図８】
0005428890.tif 000009
【図９】
0005428890.tif 000010
【図１０】
0005428890.tif 000011
【図１１】
0005428890.tif 000012
【図１２】
0005428890.tif 000013
【図１３】
0005428890.tif 000014